(57)【要約】【課題】  受信信号の出力開始までの待ち時間に起因するユーザの不安感等の問題を解消する。【解決手段】  フロントエンド１３におけるチャンネルの切換えの開始からチャンネルの切換えが完了するまでの間に、切換る前のチャンネルに対応する映像信号の最終画像を映像処理部１６を用いてフェードアウト処理を行い映像出力部１７に出力する。チャンネルの切換の完了後は、切換後のチャンネルに対応する前記映像信号の画像を映像処理部１６を用いフェードイン処理を行い映像出力部１７より出力する。【選択図】  図１
2005094451.tif 000002
【特許請求の範囲】
【請求項１】
複数のチャンネルのデジタル放送波を受信する受信手段と、
前記受信手段により受信したデジタル放送波の内、第１のチャンネルから第２のチャン
ネルへとチャンネルを切換える切換手段と、
前記受信手段により受信したチャンネルのデジタル放送波から映像信号を取得する映像
取得手段と、
前記映像取得手段により取得した前記映像信号の画像において、色の属性である色相、
明度及び彩度の中の少なくも１つの前記色の属性を変化させる画像処理手段と、
前記映像取得手段により取得した前記映像信号の画像を表示する表示手段と、
前記切換手段によるチャンネルの切換えの開始からチャンネルの切換えが完了するまで
の間に、前記第１のチャンネルに対応する前記映像信号の最終画像を前記画像処理手段を
用いて前記色の属性を徐々に変化させて前記表示手段により表示させる制御を行う第１の
制御手段と、
前記切換手段によるチャンネルの切換の完了後は、前記第２のチャンネルに対応する前
記映像信号の画像を前記画像処理手段を用いて前記色の属性を徐々に変化させて前記表示
手段により表示させる制御を行う第２の制御手段と、
を具備したことを特徴とするデジタル放送受信機。
【請求項２】
前記第１の制御手段は、フェードアウト処理であり、前記第２の制御手段はフェードイ
ン処理であることを特徴とする請求項１に記載のデジタル放送受信機。
【請求項３】
前記フェードアウト処理及び前記フェードイン処理は、予め決められた時間でその処理
を完了することを特徴する請求項２に記載のデジタル放送受信機。
【請求項４】
複数のチャンネルのデジタル放送波を受信する受信手段と、
前記受信手段により受信したデジタル放送波の内、第１のチャンネルから第２のチャン
ネルへとチャンネルを切換える切換手段と、
前記受信手段により受信したチャンネルのデジタル放送波から映像信号を取得する映像
取得手段と、
前記映像取得手段により取得した前記映像信号の画像において、色の属性である色相、
明度及び彩度の中の少なくも１つの前記色の属性を変化させる画像処理手段と、
前記映像取得手段により取得した前記映像信号の画像を表示する表示手段と、
所定の画像を記憶する記憶手段と、
前記切換え手段によるチャンネルの切換えの開始からチャンネルの切換えが完了するま
での間に、前記第１のチャンネルに対応する前記映像信号の最終画像を前記画像処理手段
を用いて前記色の属性を徐々に変化させて前記表示手段により表示させる制御を行う第１
の制御手段と、
前記第１の制御手段における前記画像処理手段の完了後に、前記記憶手段により記憶さ
れた所定の画像を前記表示手段により表示させる制御を行う第２の制御手段と、
前記切換手段によるチャンネルの切換の完了後は、前記第２のチャンネルに対応する前
記映像信号の画像を前記画像処理手段を用いて前記色の属性を徐々に変化させて前記表示
手段により表示させる制御を行う第３の制御手段と、
を具備したことを特徴とするデジタル放送受信機。
【請求項５】
前記第１の制御手段は、フェードアウト処理であり、前記第３の制御手段はフェードイ
ン処理であることを特徴とする請求項４に記載のデジタル放送受信機。
【請求項６】
前記フェードアウト処理及び前記フェードイン処理は、予め決められた時間でその処理
を完了することを特徴する請求項５に記載のデジタル放送受信機。
【請求項７】
前記所定の画像は、つなぎの情報の画像であることを特徴とする請求項４に記載のデジ
タル放送受信機。
【発明の詳細な説明】
【技術分野】
【０００１】
本発明は、デジタル放送受信機に係り、チャンネルの切換時の待ち時間の不安感を低減
する制御を行うデジタル放送受信機に関する。
【背景技術】
【０００２】
デジタル放送受信機においては、チャンネルの切換え時に、デジタル信号の処理に数秒
（例えば１〜２秒程度）の時間を要するため、切換えたチャンネルの受信状態が安定する
までに時間（待ち時間）がかかり、そのままの画像を表示するとその画面表示が大きく乱
れ見苦しいものとなってしまう。
【０００３】
上記の待ち時間は、固定受信局用のデジタル放送よりも移動体用のデジタル放送におい
て長い。デジタル放送ではバースト的な誤り発生に対処するためにインタリーブが一般に
採用される。インタリーブでは、送信側でデータが適当に並べ変えられ、受信側でデータ
配列が元に戻される。これによりデータの誤りを分散させることができ、すなわちデータ
に連続して誤りが生じるのを防げる。
【０００４】
インタリーブを採用する場合、受信側ではデータ配列を元に戻すのに必要な量のデータ
が集まるまで、受信信号を出力できない。ここで、移動体用デジタル放送では、マルチパ
スフェージングや遮へい物などによる信号の遮断を考慮して広範囲のデータの並べ変えが
行われる。そのため配列戻し処理に必要なデータが集まるのに比較的長い時間がかかり、
その結果として待ち時間も長くなり、例えば数秒に達する。待ち時間が長いので、上述し
た待ち時間に起因する問題も移動体用のデジタル放送において顕著である。
【０００５】
このため、従来では受信した映像信号を順次書き換えながら所定期間分記憶する記憶手
段を備え、チャンネル切換の際に切換処理が完了するまでチャンネル切換の直前に受信し
ていた映像信号を記憶手段から読み出して静止画として表示させるようにした番組切換装
置が提案されていた（例えば、特許文献１参照）。
【特許文献１】特開平８−１８１９２６号公報（第２２頁、図２５）
【発明の開示】
【発明が解決しようとする課題】
【０００６】
上記のように従来の受信機では、待ち時間が経過するまでチャンネル切換時の画面の乱
れを防止するため静止画を出力していた。
【０００７】
しかし、ユーザからしてみれば、今まで動いていた画像が急に静止画となり、この静止
画がそのままの状態で数秒続くため、デジタル放送受信機が故障したのかと誤解する可能
性がある。また、他の方法として最終画像の静止画ではなく、例えば黒い画像のように受
信した画像と全く異なる単一色の画像を出力することも考えられるが、結果として、無映
像の状態が生じることには変わりは無い。そのため、機器の動作が正常かどうか、正常な
受信が行われているかどうか、といった不安をユーザが抱く可能性があるばかりか、選択
した新たなチャネルは放送が行われていないとか、契約されていない等ユーザが誤解する
可能性もある。また、このような誤解がないとしても、変化のない単一色の画面の待ち時
間は、ユーザにとっての不安感の原因になる。
【０００８】
一方、待ち時間はユーザにとって無駄な時間でもある。待ち時間が経過してから出力さ
れた放送が、ユーザの希望に合わないことがある。この場合、ユーザは再びチャネルを切
換え、再び待ち時間を過ごさなければならない。次々とチャネルを切換えて所望のチャネ
ルを探すスキャン動作が手動または自動で行われることがある。この動作では、チャネル
切換の度に待ち時間が発生し、ユーザにとっての退屈感が増大する。
【０００９】
本発明は上記課題に鑑みてなされたものであり、受信信号の出力開始までの待ち時間に
起因するユーザの不安感等の問題を低減するデジタル放送受信機を提供することを目的と
する。
【課題を解決するための手段】
【００１０】
上記目的を達成するために、本発明のデジタル放送受信機は、複数のチャンネルのデジ
タル放送波を受信する受信手段と、前記受信手段により受信したデジタル放送波の内、第
１のチャンネルから第２のチャンネルへとチャンネルを切換える切換手段と、前記受信手
段により受信したチャンネルのデジタル放送波から映像信号を取得する映像取得手段と、
前記映像取得手段により取得した前記映像信号の画像において、色の属性である色相、明
度及び彩度の中の少なくも１つの前記色の属性を変化させる画像処理手段と、前記映像取
得手段により取得した前記映像信号の画像を表示する表示手段と、前記切換手段によるチ
ャンネルの切換えの開始からチャンネルの切換えが完了するまでの間に、前記第１のチャ
ンネルに対応する前記映像信号の最終画像を前記画像処理手段を用いて前記色の属性を徐
々に変化させて前記表示手段により表示させる制御を行う第１の制御手段と、前記切換手
段によるチャンネルの切換の完了後は、前記第２のチャンネルに対応する前記映像信号の
画像を前記画像処理手段を用いて前記色の属性を徐々に変化させて前記表示手段により表
示させる制御を行う第２の制御手段とを具備したことを特徴としている。
【００１１】
また、本発明のデジタル放送受信機は、複数のチャンネルのデジタル放送波を受信する
受信手段と、前記受信手段により受信したデジタル放送波の内、第１のチャンネルから第
２のチャンネルへとチャンネルを切換える切換手段と、前記受信手段により受信したチャ
ンネルのデジタル放送波から映像信号を取得する映像取得手段と、前記映像取得手段によ
り取得した前記映像信号の画像において、色の属性である色相、明度及び彩度の中の少な
くも１つの前記色の属性を変化させる画像処理手段と、前記映像取得手段により取得した
前記映像信号の画像を表示する表示手段と、所定の画像を記憶する記憶手段と、前記切換
え手段によるチャンネルの切換えの開始からチャンネルの切換えが完了するまでの間に、
前記第１のチャンネルに対応する前記映像信号の最終画像を前記画像処理手段を用いて前
記色の属性を徐々に変化させて前記表示手段により表示させる制御を行う第１の制御手段
と、前記第１の制御手段における前記画像処理手段の完了後に、前記記憶手段により記憶
された所定の画像を前記表示手段により表示させる制御を行う第２の制御手段と、前記切
換手段によるチャンネルの切換の完了後は、前記第２のチャンネルに対応する前記映像信
号の画像を前記画像処理手段を用いて前記色の属性を徐々に変化させて前記表示手段によ
り表示させる制御を行う第３の制御手段とを具備したことを特徴としている。
【発明の効果】
【００１２】
本発明によれば、受信信号の出力開始までの待ち時間に起因するユーザの不安感等の問
題を低減することができる。
【発明を実施するための最良の形態】
【００１３】
（第１の実施の形態）
以下に、本発明における第１の実施の形態に係るデジタル放送受信機を図１乃至図５を
参照して説明する。図１は本発明の第１の実施の形態に係るデジタル放送受信機のシステ
ム構成図である。図２は本発明の第１の実施の形態に係るデジタル放送受信機の動作説明
のためのフローチャートである。
【００１４】
本実施の形態に係るデジタル放送受信機１は、制御部１１と、アンテナ１２と、フロン
トエンド１３と、デマルチプレクサ１４と、復号部１５と、映像処理部１６と、映像出力
部１７と、音声処理部１８と、音声出力部１９と、記憶部２０と、入力部２１とで構成さ
れている。
【００１５】
各要素の接続は、以下のようになっている。アンテナ１２はフロントエンド１３に接続
されており、映像出力部１７は映像処理部１６に接続されており、音声出力部１９は音声
処理部１８に接続されている。これ以外の制御部１１とフロントエンド１３とデマルチプ
レクサ１４と復号部１５と映像処理部１６と音声処理部１８と記憶部２０と入力部２１は
、バスＢにより相互に接続されている。
【００１６】
次に、各要素の構成を説明する。
【００１７】
制御部１１は、記憶部２０に格納されている制御プログラムＸの命令によりデジタル放
送受信機１全体の制御を行うものである。即ち、ある要素に対し命令を送出したり、逆に
命令を受信して他の要素を制御したりする。制御部１１は、例えば、プロセッサ等である
。
【００１８】
アンテナ１２はデジタル放送波を受信する。
【００１９】
フロントエンド１３は、アンテナ１２が受信したデジタル放送波の中からユーザが選ん
だチャンネルを選局し、この選ばれたチャンネルのデジタル放送波を復調し、ストリーム
データを生成する。尚、フロントエンド１３は単一のチャンネルを選局できるだけでなく
、同時に複数のチャンネルを選局できる機能を有していても良い。
【００２０】
デマルチプレクサ１４は、フロントエンド１３にて生成されたストリームデータを画像
データと音声データに分別する。
【００２１】
復号部１５は、分別された画像データと音声データをそれぞれでデコード（復号化）す
る。デマルチプレクサ１４と復号部１５のどちらにおいてもフロントエンド１３にて複数
のチャンネルが選局されたときは、選ばれた複数のチャンネルを並列して処理できるよう
な機能を有していても良い。
【００２２】
映像処理部１６は、復号部１５によりデコードされた画像データのデジタル信号をアナ
ログ信号に変換（Ｄ／Ａ変換）して映像出力部１７に送出する。ここで、映像処理部１６
は、フロントエンド１３にて複数のチャンネルが選局されたときは、デマルチプレクサ１
４や復号部１５を介して処理された複数チャンネルの映像を重畳して１つの画面に出力で
きる機能も有していても良い。また、映像処理部１６は、復号部１５から送出された映像
データに対して後述するフェードアウトやフェードインの処理を施して映像出力部１７に
送出する機能も有する。
【００２３】
映像出力部１７は、映像処理部１６から受信したアナログ化された映像信号を出力する
。映像出力部１７は例えば、ＣＲＴモニターや液晶モニター等である。
【００２４】
音声処理部１８は、復号部１５によりデコードされた音声データのデジタル信号をアナ
ログ信号に変換（Ｄ／Ａ変換）して音声出力部１９に送出する。ここで、音声処理部１８
は、フロントエンド１３にて複数のチャンネルが選局されたときは、デマルチプレクサ１
４や復号部１５を介して処理された複数チャンネルの音声を重畳して音声出力部１９に送
出できる機能も有していても良いし、任意の１チャンネルのみの音声を音声出力部１９に
送出するような機能を有していても良い。
【００２５】
また、音声処理部１８は、復号部１５から受信した音声データの出力の大きさ（音量）
を後述するフェードアウトやフェードインの処理をして音声出力部１９に送出する機能も
有していても良い。
【００２６】
音声出力部１９は、音声処理部１８から受信したアナログ化された音声信号を出力する
。
【００２７】
記憶部２０は、各要素が送出した信号の他、後述する制御プログラムＸやフェードアウ
ト時間ＴＯ、フェードイン時間ＴＩ、待ち時間画像Ａ等を格納する。記憶部２０は、例え
ばハードディスクドライブやＤＶＤ−ＲＡＭ、メモリーチップ、又はこれらの組み合わせ
等である。
【００２８】
入力部２１は、ユーザがデジタル放送受信機１に対し命令を入力する部分である。入力
部２１は、例えばスイッチ、リモコンスイッチ、キーボード、マウス等である。
【００２９】
次に、図２を用いて本実施の形態に係るデジタル放送受信機１において、チャンネルを
切換えたときにデジタル放送受信機１が切換え時の映像をどのように処理するかを説明す
る。
【００３０】
まず、ユーザにより番組の選局が行われる（図２のステップＳ１）。この番組の選局と
は、アンテナ１２が受信したデジタル放送波の中から希望する番組を入力部２１よりユー
ザが選ぶことにより、制御部１１がフロントエンド１３に該当するチャンネルをその時点
で出力しているチャンネル（第１のチャンネル）から選ばれたチャンネル（第２のチャン
ネル）へと切換えることにより行われる。尚、本ステップが行われても、フロントエンド
１３とデマルチプレクサ１４と復号部１５と映像処理部１６の処理があるため、すぐには
第２のチャンネルの映像や音声が映像出力部１７や音声出力部１９からは出力されない。
【００３１】
従って、選局された直後に制御部１１は以下の処理を行う。
【００３２】
第１のチャンネルから第２のチャンネルへの番組選局が行われると、次に、制御部１１
は、復号部１５に対し、デコードの中止を指示し、この指示により復号部１５は第１のチ
ャンネルの映像における最後にデコードしていた映像の静止画を保持してデコード処理を
終了する（ステップＳ２）。
【００３３】
次に、制御部１１はデマルチプレクサ１４にストリームデータの取得の停止指示を行い
、デマルチプレクサ１４は、以後のストリームデータの取得を一時中断する（ステップＳ
３）。
【００３４】
次に、制御部１１は、フロントエンド１３に対して、選局された第２のチャンネルへの
番組の切換指示を行う（ステップＳ４）。この指示により、フロントエンド１３は番組切
換処理を開始する。
【００３５】
次に、１１は番組切換が終了したか否かを判断する（ステップＳ５）。この判断は、制
御部１１がフロントエンド１３における第１のチャンネルから第２のチャンネルへの番組
切換処理が実施中か否かで判断することとなる。
【００３６】
その結果、制御部１１が、フロントエンド１３による番組切換処理が終了していないと
判断した場合は（ステップＳ５のＮｏ）、制御部１１は、番組切換が終了したと判断する
まで、映像処理部１６において、フェードアウト処理を行わせ、フェードイン処理された
映像は映像処理部１６でＤ／Ａ変換されて映像出力部１７より出力される。また、復号部
１５から出力された音声は音声処理部１８でＤ／Ａ変換されて音声処理部１８から出力さ
れる（ステップＳ６）。
【００３７】
ここでフェードアウト処理とは、映像処理部１６が、復号部１５において保持していた
第１のチャンネルにおける最後にデコードしていた映像の静止画を用いてこの画像の明る
さを時間の経過ごとに徐々に変化させて例えば黒い画面のように単一色の映像を出力させ
る処理を言う。即ち、色の３つの属性である色相、明度、及び彩度の中から少なくとも１
つの属性を映像処理部１６において徐々に変化させる処理をいう。
【００３８】
図３は、フェードアウト処理を実施した場合の映像を示した図である。復号部１５が最
後にデコードして保持していた画像、即ち、フェードアウト処理が行われる直前の第１の
チャンネルの画像が図３−（１）のような人物の画像であるとすると、映像処理部１６に
よるフェードアウト処理により、図３−（２），図３−（３）へと徐々に画面が暗くなり
、最終的に図３−（４）のように完全に画面が黒くなる。従って、静止画ではあるものの
、時間と共に表示が変化し、ユーザがその変化を視覚的に捉えることが可能となる。
【００３９】
ここで、フェードアウトの開始から完全に画面が黒くなるまでの時間（上の例で言えば
、図３−（１）〜図３−（４）になるまでの時間）は、記憶部２０にフェードアウト時間
ＴＯを記憶させておき、制御部１１がフェードアウト時間ＴＯ内にフェードアウトの処理
を終わらせるように映像処理部１６に指示することで設定できる。映像処理部１６はこの
フェードアウト時間ＴＯ内にフェードアウト処理を完了するよう処理の速さ（時間毎の色
の属性の変化の度合い）を調節する。尚、このフェードアウト時間ＴＯは予め記憶部２０
に記憶させておいても良いし、フロントエンド１３による番組切換の開始からこの切換処
理が終了するまでの時間を制御部１１が予測し、この予測からフェードアウト時間ＴＯを
決定してもよい。
【００４０】
一方、フロントエンド１３における番組の切換が終了したと判断した場合には（ステッ
プＳ５のＹｅｓ）、制御部１１はフロントエンド１３に、新たに選局された第２のチャン
ネルの番組の周波数の信号をストリームデータへと復調させ、この復調した新たなストリ
ームデータをデマルチプレクサ１４に送出させる。デマルチプレクサ１４は、受信したス
トリームデータのうち制御部１１に指示されたストリームデータを取得・解析し、映像デ
ータと音声データに分別し、復号部１５に送出する。復号部１５は、受信した映像データ
と音声データを復号（デコード）して映像信号と音声信号に変換し、映像信号は映像処理
部１６へ、音声信号は音声処理部１８へ送出する。
【００４１】
そして、復号部１５における第２のチャンネルの番組の映像と音声のデコード処理が開
始された時点で、制御部１１は映像処理部１６にフェードイン処理をさせる（ステップＳ
７）。
【００４２】
ここで、フェードイン処理とは、映像処理部１６が、制御部１１からの命令により、連
続する映像を黒い画面のような単一色の画像から徐々に通常の明るさに変化させて表示し
ていく処理を言う。この処理も上述のフェードアウト処理と同様に色の３つの属性におい
て少なくともその１つを徐々に変化させていくことで実現できる。
【００４３】
図４はフェードイン処理を実施していない場合の映像を示した図である。第１のチャン
ネルから第２のチャンネルへのチャンネル切換後の映像が、図４に示すような時計を模擬
した映像であり、図４−（１）では１２を指していた時計の針が、時間の経過とともに図
４−（２）では３を指し、図４−（３）では６を指し、図４−（４）では９を指すように
動いた映像であったとする。
【００４４】
図５はフェードイン処理を実施した場合の映像を示した図である。図４の映像に対して
フェードイン処理を行うと、図４−（１）で針が１２を指していた映像は、図５−（１）
に示すように、黒い（単一色の）映像として現れ、以下、図５−（２）、図５−（３）に
示すように時間とともに徐々に明るくなり、針が９を指した図５−（４）では完全に図４
−（４）で示した通常の明るさの映像（フェードアウトやフェードインの処理をしていな
い映像）と同じ映像が映像出力部１７より出力されることとなる。
【００４５】
これによりチャンネル切換直後は画像を徐々にフェードアウトさせ、切換えが完了した
時点で第２のチャンネルの映像がフェードインして表示される。従って、視覚的に違和感
無くチャンネルを切換えることが可能となり、結果として、ユーザによる故障等との錯誤
を生じさせることはなくなり、ユーザの不安感を低減させることができる。
【００４６】
ここで、フェードイン処理の開始からその処理が完了するまでの時間は、上述したフェ
ードアウト時間ＴＯを流用してこの時間内に完了させるようにしても良いし、別途フェー
ドイン処理を完了するまでの時間（フェードイン時間ＴＩ）を予め記憶部２０に格納して
おき、このフェードイン時間ＴＩ内に処理を完成させるようにしても良い。
【００４７】
そして、フェードイン処理された映像は映像処理部１６でＤ／Ａ変換されて映像出力部
１７より出力される。また、復号部１５から出力された音声は音声処理部１８でＤ／Ａ変
換されて音声処理部１８から出力さる。
【００４８】
従って、フェードイン時間ＴＩを限りなく０（ゼロ）に近い値に設定しておくことで、
視覚的にはフェードアウト処理が完了した黒い画面の状態から、瞬時に通常の明るさに見
せることも可能であり、例えば、針がほとんど動かない状態、即ち、図４−（１）に近い
画像から通常の明るさで映像を出力することが可能である。従って、この制御によっても
、ユーザの不安感を低減させることができる。
【００４９】
尚、上述したように、ステップＳ５では、番組切換処理が終了した時点（ステップＳ５
のＹｅｓ）でフェードイン処理（ステップＳ７）が始まるため、フェードアウト時間ＴＯ
の設定次第によっては、完全に画面が黒く単一色になる前にフロントエンド１３による第
２のチャンネルへの番組切換が完了することも考えられる。そのような場合、フェードイ
ン処理を施して映像出力部１７より出力し始める画面の明るさは、フェードイン処理を開
始する直前に映像出力部１７に出力されていた明るさと同等の明るさの状態からフェード
イン処理を開始していも良い。
【００５０】
即ち、フェードアウトの処理が図３−（３）示すような画像の明るさの段階でフロント
エンド１３による第２のチャンネルの番組切換処理が終了したとすると、フェードイン処
理を開始する画面は図５−（１）のように完全に黒い（単一色の）画面ではなく、図３−
（３）の画像の明るさに相当した図５−（２）の画像からフェードイン処理を開始しても
良い。
【００５１】
これにより、番組の選局に関する制御部１１の制御が終了する。従って、完全にフェー
ドアウト処理が終了していなくても第２のチャンネルの映像のフェードイン処理の画像が
違和感なく表示される。
【００５２】
尚、フェードイン処理の開始の画像の明るさについては、ユーザの感性で異なることが
多いと考えられるため、入力部２１を用いてユーザが開始の明るさを選択できるようにし
ておいても良い。
【００５３】
以上説明してきたように、制御部１１による上述したデジタル放送受信機１の制御を行
うことで、従来は長くかかっていた受信信号の出力開始までの待ち時間に起因するユーザ
の不安感等の問題を解消できる。
【００５４】
一方、上記説明では、音声についての処理は触れなかったが、フェードアウト処理及び
フェードイン処理の映像に対応して音声処理部１８に音声の大きさ（音量を）徐々に小さ
くあるいは大きくしていくことで聴覚的にもフェードアウト及びフェードインの効果を発
揮させても良い。これにより、視覚と聴覚の両面からフェードアウト及びフェードインの
処理を行い、徐々に画面と音声が現れる（消える）効果を発揮させるようにしても良い。
【００５５】
（第２の実施の形態）
以下に、本発明によるデジタル放送受信機の第２の実施の形態を図１乃至図６を用いて
説明する。
【００５６】
図６は本発明による第２の実施の形態に係るデジタル放送受信機における制御プログラ
ムＸの制御方法を表すフローチャートである。この第２の実施の形態の各ステップについ
て、図２に示す第１の実施の形態の制御プログラムＸの制御方法の各ステップと同一部分
は同一符号で示し、その説明を省略する。
【００５７】
この第２の実施の形態に係るデジタル放送受信機における制御プログラムＸの制御方法
を表すフローチャートが、第１の実施の形態に係るデジタル放送受信機における制御プロ
グラムＸの制御方法を表すフローチャートと異なる点は、図６において、ステップＳ５の
次にフェードアウト処理が完了されたか否かを判断する処理（ステップＳ５１）が追加さ
れた点と、このステップＳ５１において、フェードアウト処理が完了したと判断した場合
に（ステップＳ５１のＹｅｓ）、待ち時間の間に表示するための画像の取得及びその画像
を表示するための処理（ステップＳ５２）が追加された点と、このステップＳ５２の直後
に番組切換処理が終了したか否かを判断する処理（ステップＳ５３）が加えられた点にあ
る。
【００５８】
以下、追加されたこれら３つの処理について説明する。
【００５９】
上述した第１の実施の形態では、ステップＳ５において、制御部１１が、フロントエン
ド１３による第１のチャンネルから第２のチャンネルへの番組切換処理が終了していない
と判断した場合は（ステップＳ５のＮｏ）、制御部１１は、番組切換が終了したと判断す
るまで、映像処理部１６に対して、フェードアウト処理を行わせていた（ステップＳ６）
。
【００６０】
この点、本実施の形態では、制御部１１が、フロントエンド１３による番組切換処理が
終了していないと判断した場合（ステップＳ５のＮｏ）、次に制御部１１が映像処理部１
６におけるフェードアウト処理が完了したか否かの判断を行う（ステップＳ５１）。
【００６１】
その結果、映像処理部１６におけるフェードアウト処理が完了していないと判断したと
きは（ステップＳ５１のＮｏ）、ステップＳ６に進み、映像処理部１６にフェードアウト
処理を行わせる。
【００６２】
一方、映像処理部１６におけるフェードアウト処理が完了したと判断したときは（ステ
ップＳ５１のＹｅｓ）、画像の取得と表示を行う（ステップＳ５２）。このステップＳ５
２の処理は、予め記憶部２０に待ち時間に表示させるための画像（待ち時間画像Ａ）を格
納しておき、制御部１１が、映像処理部１６を介してこの待ち時間画像Ａを映像出力部１
７に出力させることにより行わせる。
【００６３】
即ち、映像処理部１６が記憶部２０に格納されている待ち時間画像ＡをＤ／Ａ変換し、
映像出力部１７に送出し、映像出力部１７がこの映像を出力する。
【００６４】
次に、このステップＳ５２の直後に、制御部１１はフロントエンド１３における第１の
チャンネルから第２のチャンネルへの番組切換処理が終了したか否かを判断する（ステッ
プＳ５３）。その結果、番組切換が終了していないと判断した場合は（ステップＳ５３の
Ｎｏ）、番組切換が終了するまでこの判断を行う。
【００６５】
一方、フロントエンド１３における番組切換処理が終了したと判断したときは（ステッ
プＳ５３のＹｅｓ）、制御部１１は映像処理部１６に既述のステップＳ７のフェードイン
処理を行わせる。
【００６６】
以上の制御を行うことで、フェードアウト処理が完了するまでの間にフェードイン処理
が開始しない場合においても、そのまま単一色の画像を表示するのではなく、予め用意し
た待ち時間画像Ａを映像出力部１７より表示させることになる。従って、チャンネル切換
の待ち時間中に予め用意した待ち時間画像Ａをユーザに見せることが可能となり、従来で
はチャンネル切換前の静止画を見せられていたユーザは、上記制御により第１のチャンネ
ルで表示されていた画像とは全く異なる画像である待ち時間画像Ａを見ることになり、結
果として、視覚に訴える画像が変わることになり、待ち時間が長い場合でも、この待ち時
間に起因するユーザの不安感等の問題を更に低減できる。
【００６７】
一方、本実施の形態の狙いはフェードアウト処理の完了からフェードイン処理開始まで
の間に所定の画像を見せることでユーザの不安感等の問題を解消するものであるため、こ
の所定の画像は以下のようなものでも良い。
【００６８】
即ち、上述の待ち時間画像Ａは１つの画像のみを用意していたが、記憶部２０に、この
待ち時間画像Ａを複数用意しておき、この中からユーザに任意の１つを選択させ、その画
像を映像出力部１７より出力させるようにしても良い。
【００６９】
また、第１のチャンネルから第２のチャンネルに切換る間に、第２のチャンネルにおけ
る番組内容の情報やチャンネル特有の情報等、映像ストリームと一緒に流れてきている他
のストリームデータを記憶しておき、これを用いて待ち時間画像Ａを作成しても良い。
【００７０】
更に、文字ニュースなどの特定時間で更新される情報のように第１のチャンネルや第２
のチャンネルとは全く関係の無い第３のチャンネルの情報を待ち時間画像Ａとして利用し
ても良い。
【００７１】
ここで、上記の他のストリームデータ、及び第３のチャンネルの情報（ここでは、これ
らを「つなぎの情報」という）は、以下のように取得することが出来る。
【００７２】
即ち、数回にわたるユーザのチャンネルの切換の際に、当該つなぎの情報を含むチャン
ネルが選択されたとき、当該つなぎの情報のストリームデータを記憶部２０に格納してお
くことで取得することが出来る。
【００７３】
また、既述のようにフロントエンド１３は単一のチャンネルを選局できるだけでなく、
同時に複数のチャンネルを選局できる機能を有していても良いため、上記のように数回に
わたるユーザのチャンネルの切換が無くても第１のチャンネルと並行して受信することで
待ち時間画像Ａとして取得することが出来る。
【００７４】
以上のような実施の形態においても、受信信号の出力開始までの待ち時間に起因するユ
ーザの不安感等の問題を解消できる。また、待ち時間に文字ニュースなどの有用な情報を
流すことで、結果として待ち時間中に不安を感じさせないという効果を生ずる。
【図面の簡単な説明】
【００７５】
【図１】本発明による第１の実施の形態に係るデジタル放送受信機のシステム構成図。
【図２】本発明による第１の実施の形態に係るデジタル放送受信機の動作説明のためのフローチャート。
【図３】フェードアウト処理を実施した場合の映像を示した図。
【図４】フェードイン処理を実施していない場合の映像を示した図。
【図５】フェードイン処理を実施した場合の映像を示した図。
【図６】本発明による第２の実施の形態に係るデジタル放送受信機の動作説明のためのフローチャート。
【符号の説明】
【００７６】
１  デジタル放送受信機
１１  制御部
１２  アンテナ
１３  フロントエンド
１４  デマルチプレクサ
１５  復号部
１６  映像処理部
１７  映像出力部
１８  音声処理部
１９  音声出力部
２０  記憶部
２１  入力部
Ａ  待ち時間画像
Ｂ  バス
ＴＯ  フェードアウト時間
ＴＩ  フェードイン時間
Ｘ  制御プログラム
【図１】
2005094451.tif 000003
【図２】
2005094451.tif 000004
【図３】
2005094451.tif 000005
【図４】
2005094451.tif 000006
【図５】
2005094451.tif 000007
【図６】
2005094451.tif 000008